(57)【要約】【課題】走行するＴＡＢテープの配線パターン面（製品面）を変形させることなく、安定した搬送を可能にするＴＡＢテープ用ガイドローラーを提供する。【解決手段】固定軸６に円筒状のガイドローラー本体４を回転自在に支承させ、そのガイドローラー本体４の外周面に、テープ幅に対応する溝幅のガイド溝７を形成したＴＡＢテープ用ガイドローラーにおいて、上記ガイド溝７の底面にテープの変形を許すべくガイド溝より溝幅の小さいクッション溝３を形成し、このガイド溝７とクッション溝３との間の段差部９にテープ側縁を支持させて、ガイド溝７の底面外周に弾性プラスチック帯２を配設し、この弾性プラスチック帯２上にＴＡＢテープ１を支持させることにより、ＴＡＢテープ１の配線パターン面がクッション溝側に変形せずに搬送されるように構成する。【選択図】　　　図１
2004087792.tif 000002
【特許請求の範囲】
【請求項１】
固定軸に円筒状のガイドローラー本体を回転自在に支承させ、そのガイドローラー本体の外周面に、テープ幅に対応する溝幅のガイド溝を形成したＴＡＢテープ用ガイドローラーにおいて、
上記ガイド溝の底面にテープの変形を許すべくガイド溝より溝幅の小さいクッション溝を形成し、
このガイド溝とクッション溝との間の段差部に後記弾性プラスチック帯側縁を支持させて、ガイド溝の底面外周に当該弾性プラスチック帯を配設し、
この弾性プラスチック帯上にＴＡＢテープを支持しガイドすることにより、ＴＡＢテープの配線パターン面がクッション溝側に変形せずに搬送されるように構成したことを特徴とするＴＡＢテープ用ガイドローラー。
【請求項２】
請求項１記載のＴＡＢテープ用ガイドローラーにおいて、
上記弾性プラスチック帯の代わりに、金属箔又はゴムの弾性帯を配設したことを特徴とするＴＡＢテープ用ガイドローラー。
【請求項３】
請求項１又は２記載のＴＡＢテープ用ガイドローラーにおいて、
上記ガイドローラー本体が、玉軸受けを介して固定軸に回転自在に支承されていることを特徴とするＴＡＢテープ用ガイドローラー。
【発明の詳細な説明】
【０００１】
【発明の属する技術分野】
本発明は、ＴＡＢテープ用ガイドローラー、特にＴＡＢテープの配線パターン側をガイドするＴＡＢテープ用ガイドローラーに関する。
【０００２】
【従来の技術】
半導体実装技術の１つにＴＡＢ（Ｔａｐｅ　Ａｕｔｏｍａｔｅｄ　Ｂｏｎｄｉｎｇ）方式がある。この方式は、絶縁フィルムテープ上に銅配線パターンを形成したテープキャリアのリードと半導体の電極を直接に接続する方法であり、ワイヤボンディング方式に比べて狭ピッチ接続やＩＣパッケージの小型・薄型化に最適であるため、広く用いられている。また、最近では外部接続用端子を格子状に配列したはんだボール状の端子で形成したＢＧＡ（Ｂａｌｌ　Ｇｒｉｄ　Ａｒｒａｙ）パッケージの実装方法としても用いられている。そして、この絶縁フィルムテープ上に配線パターンを形成したＴＡＢテープは、レジスト塗布処理などの諸工程の必要に応じ、ガイドローラーによりガイドされながら搬送される。
【０００３】
このような用途に用いられるＴＡＢテープ用のガイドローラーとしては、従来、図３、図４に示すように、テープ材の端面あるいは全面をローラーでガイドするものがある。
【０００４】
図３のガイドローラーは、固定軸であるシャフト６に、玉軸受け５を介して、円筒状のガイドローラー本体４を回転自在に支承させ、そのガイドローラー本体４の外周面に、ＴＡＢテープ１のテープ幅に対応する溝幅のガイド溝７（外側溝）を形成し、さらにそのガイド溝７の底面に、テープの変形を許容すべくガイド溝７より溝幅の小さい内側溝８を形成し、この外側溝と内側溝との間の段差部９でＴＡＢテープ１のテープ両側縁（テープ両端）を支持しガイドする構造となっている。
【０００５】
また図４のガイドローラーは、固定軸であるシャフト６に、玉軸受け５を介して、円筒状のガイドローラー本体４を回転自在に支承させ、そのガイドローラー本体４の外周面に、ＴＡＢテープ１のテープ幅に対応する溝幅のガイド溝７を形成し、ＴＡＢテープ１の全面をローラーでガイドする構造になっている。
【０００６】
【発明が解決しようとする課題】
しかしながら、例えば図３の如くＴＡＢテープ１のテープ両端を支持する構造の場合、ＴＡＢテープ１の中心部分が内側溝８内に弓状に反り、ＴＡＢテープ１の配線パターン面（製品面）がローラーに接触し変形する、という問題がある。
また、図４の如くＴＡＢテープ１をフラット形状でガイドした際には、ローラー表面の硬さにより配線パターン面（製品面）が変形するという問題がある。
【０００７】
そこで、本発明の目的は、上記課題を解決し、走行するＴＡＢテープの配線パターン面（製品面）を変形させることなく、安定した搬送を可能にするＴＡＢテープ用ガイドローラーを提供することにある。
【０００８】
【課題を解決するための手段】
上記目的を達成するため、本発明は、次のように構成したものである。
【０００９】
請求項１の発明に係るＴＡＢテープ用ガイドローラーは、固定軸に円筒状のガイドローラー本体を回転自在に支承させ、そのガイドローラー本体の外周面に、テープ幅に対応する溝幅のガイド溝を形成したＴＡＢテープ用ガイドローラーにおいて、上記ガイド溝の底面にテープの変形を許すべくガイド溝より溝幅の小さいクッション溝を形成し、このガイド溝とクッション溝との間の段差部に後記弾性プラスチック帯側縁を支持させて、ガイド溝の底面外周に当該弾性プラスチック帯を配設し、この弾性プラスチック帯上にＴＡＢテープを支持しガイドすることにより、ＴＡＢテープの配線パターン面がクッション溝側に変形せずに搬送されるように構成したことを特徴とする。
【００１０】
請求項２の発明は、請求項１記載のＴＡＢテープ用ガイドローラーにおいて、上記弾性プラスチック帯の代わりに、金属箔又はゴムの弾性帯を配設したことを特徴とする。
【００１１】
請求項３の発明は、請求項１又は２記載のＴＡＢテープ用ガイドローラーにおいて、上記ガイドローラー本体が、玉軸受けを介して固定軸に回転自在に支承されていることを特徴とする。
【００１２】
＜発明の要点＞
本発明の要点は、ローラー外周にクッション溝を設け、クッション溝外周に弾性プラスチック帯等を巻き、ＴＡＢテープの搬送状態に合わせたクッション機構を持たせた点にある。この機構によりＴＡＢテープの搬送時に配線パターン面（製品面）の変形が起こらず安定した連続搬送を行うことができる。
【００１３】
【発明の実施の形態】
以下、本発明を図示の実施形態に基づいて説明する。
【００１４】
図１は本発明に係るＴＡＢテープ用ガイドローラーの断面図、図２はその側面図である。
【００１５】
このＴＡＢテープ用ガイドローラーでは、固定軸であるシャフト６に、両端に配置された玉軸受け５を介して、円筒状のガイドローラー本体４が回転自在に支承され、このガイドローラー本体４の外周面（表面）に、ＴＡＢテープ１のテープ幅に対応する溝幅のガイド溝７（外側溝）が周方向に形成され、さらにそのガイド溝７の底面には、テープの変形を許容すべく、ガイド溝７よりも溝幅の小さいクッション溝３が周方向に形成されている。そして、このガイド溝７とクッション溝３との間の段差部９に弾性プラスチック帯２側縁を支持させて、ガイド溝７の底面外周に、弾性プラスチック帯２を巻き付けて、クッション溝３を完全に又は不完全に閉塞した構造となっている。
【００１６】
本実施形態におけるクッション溝３は、従来の内側溝８と類似するが、上記の如く弾性プラスチック帯により閉塞されている点で、従来の上方に開放されただけの内側溝８と異なる。
【００１７】
上記弾性プラスチック帯２の厚さや強度等は、その弾性帯としての働きにより、本ＴＡＢテープ用ガイドローラーの弾性プラスチック帯２上にＴＡＢテープ１を乗せる形で支持しガイドしたとき、ＴＡＢテープ１の配線パターン面がクッション溝３側に変形せずに搬送されるように構成されている。
【００１８】
上記の如く、本ＴＡＢテープ用ガイドローラーは、そのクッション溝３上に位置する弾性プラスチック帯２上にＴＡＢテープ１を乗せてガイドする構成であるため、ＴＡＢテープ１の配線パターン面がクッション溝３側に変形せず、従って安定したＴＡＢテープ１の連続搬送を行うことができる。
【００１９】
すなわち、図１及び図２において、連続走行するＴＡＢテープ１はこれに直交配置されたガイドローラー本体４上を、その配線パターン面を内側にして通過する。ＴＡＢテープ１は、クッション溝３上に巻き付けられた弾性プラスチック帯２に接触し、玉軸受け５を介して連続回転搬送される。その際、上記のような構造を有するクッション機構付テープ材ガイドローラーは、ＴＡＢテープ１のテープ走行状態の変動をクッション溝３及び弾性プラスチック帯２により補正し吸収して、ＴＡＢテープ１の配線パターン面（製品面）を意図しない曲がりから保護し、変形のない安定した連続搬送を可能とする。
【００２０】
上記実施形態では、クッション溝３上に弾性プラスチック帯２を設けたが、弾性プラスチック帯の代わりに、ＴＡＢテープの配線パターンに変形を与えない他の材料、例えば金属箔又はゴムの弾性帯を配設しても、同様に変形のない安定した連続搬送を行わせることができる。
【００２１】
【発明の効果】
以上説明したように本発明によれば、固定軸に円筒状のガイドローラー本体を回転自在に支承させ、そのガイドローラー本体の外周面に、テープ幅に対応する溝幅のガイド溝を形成したＴＡＢテープ用ガイドローラーにおいて、上記ガイド溝の底面にテープの変形を許すべくガイド溝より溝幅の小さいクッション溝を形成し、このガイド溝とクッション溝との間の段差部に弾性プラスチック帯側縁を支持させて、ガイド溝の底面外周に弾性プラスチック帯を配設し、この弾性プラスチック帯上にＴＡＢテープを支持しガイドすることにより、ＴＡＢテープの配線パターン面がクッション溝側に変形せずに搬送されるように構成したので、ＴＡＢテープの走行状態の変動をクッション溝及び弾性プラスチック帯により補正し吸収して、ＴＡＢテープの配線パターン面（製品面）を意図しない曲がりから保護し、変形のない安定した連続搬送を行うことができる。
【図面の簡単な説明】
【図１】本発明の一実施形態に係るＴＡＢテープ用ガイドローラーの断面図である。
【図２】図１のＴＡＢテープ用ガイドローラーの側面図である。
【図３】従来のＴＡＢテープ用ガイドローラーの断面図である。
【図４】従来の他のＴＡＢテープ用ガイドローラーの断面図である。
【符号の説明】
１　ＴＡＢテープ
２　弾性プラスチック帯
３　クッション溝
４　ガイドローラー本体
５　玉軸受け
６　シャフト（固定軸）
７　ガイド溝
９　段差部
【図１】
2004087792.tif 000003
【図２】
2004087792.tif 000004
【図３】
2004087792.tif 000005
【図４】
2004087792.tif 000006